(57)【要約】      （修正有）【課題】広口容器に収納されている収納物を、キャップを取り外すことなく取り出すことのできるキャップに関する。【解決手段】容器本体の口頸部に装着する開口部を有するキャップ本体１０と、キャップ本体の開口部を覆う蓋材６０およびキャップ本体前方面に設けた凹部１６内へ、左右外側へ突出する回転軸を設けた開閉用ボタン部材５０を設け、開閉用ボタン部材を押し込むことによりキャップ本体と蓋材の係合が解除可能に形成したキャップにおいて、キャップ本体の軸受部は回転軸の径より大きい幅を有し、かつ、開閉用ボタン部材は回転軸を有するボタン部材と、ボタン部材に移動可能に取り付けられ、垂下するサポートリブを設けたことを特徴とする開閉可能な蓋材を有するキャップ。【選択図】図１
2008184202.tif 000002
【特許請求の範囲】
【請求項１】
容器本体の口頸部に装着する開口部を有するキャップ本体と該キャップ本体の開口部を覆う蓋材、およびキャップ本体前方面に設けた凹部内へ、左右外側へ突出する回転軸を設けたボタン部材を備えた開閉用ボタン部材を、前記凹部左右壁面に設けた軸受部へ、前記回転軸を枢着させ、前記開閉用ボタン部材を押し込むことにより、蓋材前部を押し上げて、キャップ本体と蓋材の係合が解除可能に形成したキャップにおいて、
前記キャップ本体の軸受部は、回転軸の径より大きい幅を有し、かつ、前記開閉用ボタン部材は、回転軸を有するボタン部材と、該ボタン部材に移動可能に取り付けられ、垂下するサポートリブを設けたことを特徴とする開閉可能な蓋材を有するキャップ。
【請求項２】
前記キャップ本体の凹部に、蓋材を閉じた時、前記サポートリブが載置される位置に載置リブを設けたことを特徴とする請求項１記載の開閉可能な蓋材を有するキャップ。
【請求項３】
前記キャップ本体の凹部に、蓋材を閉じた時、前記サポートリブが位置する位置より外側に段部を設けたことを特徴とする請求項１記載の開閉可能な蓋材を有するキャップ。
【請求項４】
前記サポートリブに、内方に延出する先端に係止部を有する嵌合ロックリブを設け、かつ、前記凹部に嵌合溝を有する係止壁がさらに設けられ、前記嵌合ロックリブが、係止壁の嵌合溝にスライド移動可能に嵌合されていることを特徴とする請求項１ないし３のいずれか１項に記載の開閉可能な蓋材を有するキャップ。
【発明の詳細な説明】
【技術分野】
【０００１】
本発明は、広口容器に収納されている収納物を、キャップを取り外すことなく取り出すことのできるキャップに関するものである。収納物としては、洋風だし、乾燥食材、焼き菓子等の固形状物、調味料、加工食材等の顆粒状物、洗剤、入浴剤等の紛体物等が例示できる。
【背景技術】
【０００２】
広口容器の蓋をワンタッチで開口できる技術が知られている。上記容器は、開口用のバネ部材により閉方向に付勢されたキャップを備えており、開閉用ボタンを押し下げることによりキャップ本体と蓋材を係止する係止爪同士の係止が解除され、蓋が開口するように構成されている。（例えば、特許文献１参照）
以下に先行技術文献を示す。
【特許文献１】特開２００６−６９６６９号公報
【発明の開示】
【発明が解決しようとする課題】
【０００３】
上記容器を落下させたりして容器に衝撃が加わると係止爪同士の係止が外れ、蓋が開口してしまう問題があった。
【０００４】
本発明は上記した従来の問題点を鑑みてなされるものであり、容器に衝撃が加わっても容易に係止爪同士の係止が外れることがなく、蓋を開口したい場合には、ボタンをスライドさせて押し下げることで容易に開口できるキャップを提供することである。
【課題を解決するための手段】
【０００５】
上記の課題を解決するために、まず本発明の請求項１に係る発明は、
容器本体の口頸部に装着する開口部を有するキャップ本体と該キャップ本体の開口部を覆う蓋材、およびキャップ本体前方面に設けた凹部内へ、左右外側へ突出する回転軸を設けたボタン部材を備えた開閉用ボタン部材を、前記凹部左右壁面に設けた軸受部へ、前記回転軸を枢着させ、前記開閉用ボタン部材を押し込むことにより、蓋材前部を押し上げて、キャップ本体と蓋材の係合が解除可能に形成したキャップにおいて、
前記キャップ本体の軸受部は、回転軸の径より大きい幅を有し、かつ、前記開閉用ボタン部材は、回転軸を有するボタン部材と、該ボタン部材に移動可能に取り付けられ、垂下するサポートリブを設けたことを特徴とする開閉可能な蓋材を有するキャップである。
【０００６】
次に、本発明の請求項２に係る発明は、
前記キャップ本体の凹部に、蓋材を閉じた時、前記サポートリブが載置される位置に載置リブを設けたことを特徴とする請求項１記載の開閉可能な蓋材を有するキャップである。
【０００７】
次に、本発明の請求項３に係る発明は、
前記キャップ本体の凹部に、蓋材を閉じた時、前記サポートリブが位置する位置より外側に段部を設けたことを特徴とする請求項１記載の開閉可能な蓋材を有するキャップ。
前記キャップ本体の凹部に、蓋材を閉じた時、前記サポートリブが位置する位置より外側に段部を設けたことを特徴とする請求項１記載の開閉可能な蓋材を有するキャップである。
【０００８】
次に、本発明の請求項４に係る発明は、
前記サポートリブに、内方に延出する先端に係止部を有する嵌合ロックリブを設け、かつ、前記凹部に嵌合溝を有する係止壁がさらに設けられ、前記嵌合ロックリブが、係止壁の嵌合溝にスライド移動可能に嵌合されていることを特徴とする請求項１ないし３のいずれか１項に記載の開閉可能な蓋材を有するキャップである。
【発明の効果】
【０００９】
本発明の開閉可能な蓋材を有するキャップは、片方の手でも容易に蓋材を開口することができる。そして、開封はキャップ本体の前方上端に組み込まれた開閉用ボタン部材の前方先端の摘み周壁を引き、さらに下へ押圧することにより蓋材が容易に開口できる。
【００１０】
また、キャップ本体の開口部が広いために収納物が取り出し易い。そして、固形状物、顆粒状物、紛体状物等の収納物を制約することなく収納することができる。
【００１１】
また、本発明の開閉可能な蓋材を有するキャップは、構成するキャップ本体、蓋材、開閉用ボタン部材の全てを合成樹脂にすることができる。そして、内容物に混入する金属製の異物を検出するための金属探知機を使用することができる。
【００１２】
さらに、容器に収納されている収納物を使用後、廃棄処理するときに、分別回収する必要がないか又は容易に分別回収することができる。
【００１３】
また、本発明の開閉可能な蓋材を有するキャップは、開閉用ボタン部材となるボタン部材とボタン補助部材の組立が容易である。さらに、キャップ本体に開閉用ボタン部材と蓋材の組み込みが容易で、且つ、セットし易い。
【００１４】
また、本発明の開閉可能な蓋材を有するキャップは、キャップ本体に蓋材が完全にロックされる。そして、該容器が転倒しても蓋材が開封することがない。このために、収納物がこぼれ出すことがない。
【００１５】
蓋材の係止爪の上面が、キャップ本体の係止爪の上面に線接触で摺接する。このために、キャップ本体の係止爪が、主に前方方向へ押圧されて移動変形し易い。そして、不必要な力を必要としないため、蓋材をキャップ本体に閉じ易い。
【００１６】
また、本発明の開閉可能な蓋材を有するキャップは収納物を取り出した後、再封する際には、蓋材の前方縁部を指で前方下方へ押圧するだけで蓋材とキャップ本体が容易に係合できる。
【発明を実施するための最良の形態】
【００１７】
本発明の開閉可能な蓋材を有するキャップを実施の形態に沿って以下に図面を参照しながら詳細に説明する。図１〜図１５は本発明の一実施例を示す。
【００１８】
図１は本発明の開閉可能な蓋材を有するキャップの構成の一実施例の概略を示す斜視図である。また、図２はキャップ本体の外観の概略を示す斜視図である。さらに、図３は図２に示すキャップ本体の平面図である。そして、図４はキャップ本体の断面の概略を示す概略図である。
【００１９】
図１に示すように本発明のキャップ（９０）はキャップ本体（１０）と開閉用ボタン部材（５０）と蓋材（６０）から構成されている。そして、開閉用ボタン部材（５０）はボタン部材（４０）とボタン補助部材（３０）から形成されている。
【００２０】
前記キャップ本体（１０）は図２〜図４に示すように天板（１１）が環状で、内側周縁部に、前方形状が左右方向直線状で、左右両側形状が円形で、後方形状が左右方向直線状の蓋材収容環状段差（１２）が設けられている。
【００２１】
また、蓋材収容環状段差（１２）の内周に図３に示す内壁（１３）を垂設して取出開口部（１４）が設けられている。
【００２２】
さらに、図２及び図３に示すように、キャップ本体（１０）の周壁（１５）は、円筒状で、天板（１１）と周壁（１５）の上端前方位置に、左右両側壁に対応させて図２及び図４に示すように例えば逆Ｕ字状の軸受部（２３）が設けられている。そして、開閉用ボタン部材（３０）を回転可能に収容する開閉用ボタン部材収容凹部（１６）が形成されている。
【００２３】
また、図２及び図３に示すように、この開閉用ボタン部材収容凹部（１６）の後方の左右方向中央位置の、上端に蓋材（１０）との係止爪（１７）を後方方向にもつ垂直断面形状がＵ字状の一方に爪部（１８）を下方位置から上方に設けられている。
【００２４】
また、図２及び図４に示すように、垂直断面形状がＵ字状の他方は開閉用ボタン部材（５０）に設けられているボタン補助部材（３０）の爪部（３１）が前後に往復するための凹部溝（２２）が左右方向中央位置に設けられている。そして、凹部溝（２２）が設けられている前方の左右方向中央位置に開閉用ボタン部材（５０）に設けられているボタン補助部材（３０）のサポートリブ（３３）が載置する載置部（２２）が突設されている。
【００２５】
さらに図３及び図４に示すように、開閉用ボタン部材収容凹部（１６）の対向側のキャップ本体（１０）の天板（１１）と周壁（１５）の上端後方位置に、図１０または図１１に示すような、蓋材（６０）の取付部（６１）を収容する蓋材取付部収容凹部（１９）が設けられている。
【００２６】
また、図２〜図４に示すように、蓋材取付部収容凹部（１９）の左右両側壁に対応させて蓋材（６０）を回転可能に収容する回転接合軸（２０）が突設されている。
【００２７】
次に、図５は本発明のキャップの開閉用ボタン部材（５０）に設けられているボタン部材（４０）の外観の概略を示す斜視図である。また、図６は図５の前方方向から見た概略を示す概略図である。
【００２８】
また、図７及び図８は本発明のキャップの開閉用ボタン部材に設けられているボタン補助部材（３０）の外観の概略を示す斜視図である。そして、図８は図７のＡ−Ａ´線断面を示す断面図である。
【００２９】
さらに、図９はボタン部材にボタン補助部材が遊嵌された開閉用ボタン部材の側面の概略を示す概略図である。また、図１０はボタン部材の側面の概略を示す概略図である。
【００３０】
前記ボタン部材（４０）は図５に示すように前方に円弧をもつ長方形状で、内側面前方端縁位置に図７及び図８に示すボタン補助部材（３０）の摺動板（３４）を前後に往復させるための爪部（４１）を有するボタン補助部材ガイド部（４２）が設けられている。
【００３１】
また、図５及び図６さらに図１０に示すように、上面後方位置に蓋材がキャップ本体（１０）に取り付けられ密封された際に、蓋材上面と同一面状に形成される平面部（４３）が設けられている。
【００３２】
さらに、平面部（４３）の内側面の左右方向中央位置近傍にボタン補助部材（３０）の係止爪（３２）と係止する係止爪（４７）が垂設されている。
【００３３】
また、平面部（４３）の後方端左右両側端に、蓋材の先方端を持ち上げる蓋材持ち上げ部（４４）が突設されている。さらに、ボタン部材（４０）は左右両側端に、対応させて外面中央位置に回転軸（４５）をもつ外周形状がＵ字状の取付板（４６）が垂設されている。
【００３４】
また、前記回転軸（４５）はキャップ本体の開閉用ボタン部材収容凹部（１６）の左右両側壁（２４）に設けられている逆Ｕ字状の軸受孔部（２３）に挿入することによりキャップ本体（１０）と開閉用ボタン部材（５０）が一体化される。ここで、前記軸受部（２３）は、蓋材の回転軸（４５）の径より大きい幅を有し、前後にスライド可能な構造となっていれば、逆Ｕ字状に限定されるものでない。
【００３５】
次に、開閉用ボタン部材（５０）に設けられているボタン補助部材（３０）は摘み周壁（３５）と摺動板（３４）と爪部（３１）と係止爪（３２）とサポートリブ（３３）から形成されている。そして、摘み周壁（３５）は、図９に示すように、ボタン部材（４０）のボタン補助部材ガイド部（４２）に遊嵌されているボタン補助部材（３０）を前後に往復させる際に、指が掛かり易くなるように前方端縁が図７に示すように円弧板状に設けられている。
【００３６】
また、摘み周壁（３５）の後方にボタン部材（４０）のボタン補助部材ガイド部（４２）に遊嵌される摺動板（３４）が設けられている。そして、摺動板（３４）の前後の略中央の内側面左右方向中央位置にサポートリブ（３３）が垂設されている。
【００３７】
さらに、摺動板（３４）の後方端中央に爪部（３１）が設けられている。そして、爪部（３１）の後方端縁に脚部（３６）を有し、ボタン部材（４０）の係止爪（４７）と係止する係止爪（３２）が設けられている。
【００３８】
次に、図１１は本発明のキャップの蓋材（６０）の構造の一実施例の概略を示す斜視図である。また、図１２は蓋材の底面の概略を示す概略図である。
【００３９】
本発明のキャップの蓋材（６０）は図１１に示すように前方形状が左右方向直線状で、左右両側形状が円形で、後方形状が左右方向直線状に形成している。そして、図１１に示すように、外周に沿って内側に、キャップ本体の取出開口部に挿着する挿着壁（６２）が垂設されている。
【００４０】
前記挿着壁（６２）の前方の左右方向中央位置に、キャップ本体の係止爪と係止する前方方向に係止爪（６３）をもつ垂直状の爪部（６４）が垂設されている。
【００４１】
また、キャップ本体（１０）に蓋材（６０）が取り付けられ、密封され、そして開封する際に、開閉用ボタン部材（５０）に設けられているボタン部材（４０）の蓋材持ち上げ部（４４）で蓋材（６０）の前方が持ち上げられる。このために蓋材（６０）の左右方向が直線状に形成されている周壁の中央位置が取り除かれ凹部（６５）が設けられている。
【００４２】
また、蓋材（６０）の後方端の左右方向中央位置に、図１２に示すように、左右の側壁（６６）と後方壁（６７）とからなる下向きの取付部（６１）が突設されている。そして、図１１に示すように左右の側壁（６６）の外側にキャップ本体（１０）の蓋材取付部収容凹部（１９）の回転接合軸（２０）と回転可能に嵌合する回転軸孔（６８）が設けられている。
【００４３】
そして、回転軸孔（６８）とキャップ本体（１０）の蓋材取付部収容凹部（１９）の左右両側壁に対応させて突設されている回転接合軸（２０）が軸支することによりキャップ本体（１０）と蓋材（６０）が一体化される。
【００４４】
また、前記キャップ本体（１０）、蓋材（６０）、開閉用ボタン部材（５０）は、適度の剛性をもつ熱可塑性樹脂、例えば、低密度ポリエチレン樹脂、中密度ポリエチレン樹脂、高密度ポリエチレン樹脂、線状低密度ポリエチレン樹脂、ポリプロピレン樹脂、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー樹脂、ポリブテンポリマー樹脂、ポリエチレンまたはポリプロピレンなどのポリオレフィン系樹脂をアクリル酸、メタクリル酸、マレイン酸、無水マレイン酸、フマール酸、イタコン酸などの不飽和カルボン酸で変性した酸変性ポリオレフィン樹脂、ポリ酢酸ビニル系樹脂、ポリ（メタ）アクリル系樹脂等を用いて、射出成形法により作製される。
【００４５】
また、広口容器に収納する収納物あるいは収納物の保存方法、保存期間あるいは流通方法等によって容器及びキャップ本体（１０）、蓋材（６０）、開閉用ボタン部材（５０）に使用される樹脂が適宜選定される。
【００４６】
また、容器及びキャップ本体（１０）、蓋材（６０）、開閉用ボタン部材（５０）に要求される品質、耐性、使用条件などによって副資材である着色剤あるいは帯電防止剤あるいは紫外線吸収剤、界面活性剤、老化防止剤、離型剤なども適宜選定される。そして、使用される樹脂と均一に攪拌された後に用いられる。
【００４７】
また、上記、使用される副資材は通常公知のものが用いられる。例えば、容器を着色する場合にはカラードペレット（着色ペレット）、マスターバッチ、ドライカラー等が用いられる。
【００４８】
また、マスターバッチは着色する樹脂と同種の材料にあらかじめ顔料を高濃度に分散させてあるもので、計量しやすく、取り扱いやすいために広く使用されている。またドライカラーは粉末状のものを表面処理して分散性を向上させたもので、ポリエチレン（ＰＥ）、ポリスチレン（ＰＳ）、ポリアミド（ＰＡ）アクリル樹脂などに用いられている。
【００４９】
また、熱可塑性樹脂等のプラスチックは、一般に電気絶縁性が非常に優れているために、摩擦したり、重ね合わせたりすると容易に帯電するためにゴミが付着し易く美観をそこなうだけでなく、製造現場の作業者に電撃を与えたり、時には火災を起こすことがある。
【００５０】
上記、帯電を防止するために帯電防止剤が用いられる。帯電防止剤を使用する際の選択は、成形される成形品の収納物、成形品に使用される樹脂、成形条件などを考慮して成される。また、使用方法には練り込み型と塗布型があるが、防止効果の持続性では練り込み型の方がすぐれ、多く用いられる。公知の帯電防止剤としては、非イオン系、カチオン系のものがあり、いずれも使用することができる。
【００５１】
次に、図１３〜図１５は本発明のキャップの蓋材を開閉する際の状態の概略を説明する説明図である。本発明のキャップ（９０）は図１３〜図１５に示すように、広口容器（７０）の口頸部に咬合係止して装着される。そして、キャップ本体（１０）に、蓋材（６０）と開閉用ボタン部材（５０）が組み込まれている。
【００５２】
また、本発明のキャップの閉蓋は図１３に示すようにキャップ本体（１０）の取出開口
部に蓋材（６０）が被さり、蓋材（６０）の爪部（６４）の係止爪（６３）とキャップ本体（１０）の係止爪（１７）が噛み合い、蓋材（６０）が係止される。
【００５３】
前記キャップ本体（１０）の係止爪（１７）の上面傾斜角度と蓋材（６０）の係止爪（４３）の上面傾斜角度は異なる傾斜角度に形成されている。
【００５４】
このために蓋材（６０）をキャップ本体（１０）に閉じるときに、蓋材（６０）の係止爪（６３）の上面が、キャップ本体（１０）の係止爪（１７）の上面に線接触で摺接する。このために、キャップ本体（１０）の係止爪（１７）が、主に前方方向へ押圧されて移動変形し易い。そして、不必要な力を必要としないため、蓋材（６０）をキャップ本体（１０）に閉じ易い
また、キャップ本体（１０）の係止爪（１７）の上面傾斜角度と蓋材（６０）の係止爪（６３）の上面傾斜角度をほぼ同じにすると、蓋材（６０）の係止爪（６３）の上面が、キャップ本体（１０）の係止爪（１７）の上面に面接触で摺接する。そして、キャップ本体（１０）の係止爪（１７）が、前方方向のみでなく下方へも押圧されて移動変形し易くなる。
【００５５】
このために、不必要な力を必要とし、蓋材（６０）をキャップ本体（１０）に閉じにくくなることがある。
【００５６】
そして、図１３に示すように、キャップ本体（１０）の取出開口部（１４）を蓋材（６０）で密封した際には、前記のように、蓋材（６０）の係止爪（６３）とキャップ本体（１０）の係止爪（１７）が係止する。また、同時に開閉用ボタン部材（５０）が形成されているボタン部材（４０）の内側面に設けられている係止爪（４７）とボタン補助部材（３０）の後方端縁に設けられている係止爪（３２）も係止される。
【００５７】
さらに、図１３に示すように、開閉用ボタン部材（５０）が形成されているボタン補助部材（３０）の内側面に設けられているサポートリブ（３３）の下方底面がキャップ本体（１０）の載置部（２１）に載置される。
【００５８】
そして、キャップ本体（１０）と蓋材（６０）と開閉用ボタン部材（５０）が一体化し、ロック状態で密封される。さらに、容器（７０）が転倒しても蓋材（６０）が開封されることがない。
【００５９】
次に、本発明のキャップの蓋材（６０）を開封する場合には、図１４に示すように開閉用ボタン部材（３０）が形成されているボタン補助部材の摘み周壁に指を掛けて前方に引く。
【００６０】
前記ボタン補助部材の摘み周壁を前方に引くことにより、図１４に示すようにボタン部材（４０）の内側面に設けられている係止爪（４７）とボタン補助部材（３０）の後方端縁に設けられている係止爪（３２）の噛み合いが外れる。さらに、ボタン補助部材（３０）の内側面に設けられているサポートリブ（３３）もキャップ本体（１０）の載置部（２１）から外れサポートリブ（３３）の下部面に空間部が形成される。
【００６１】
さらに、図１５に示すように摘み周壁の上面を押すことにより開閉用ボタン部材（３０）が傾斜する。そして、開閉用ボタン部材（３０）が形成されているボタン部材の蓋材持ち上げ部により、蓋材（６０）の係止爪（６３）とキャップ本体（１０）の係止爪（１７）の噛み合いが外れると同時に蓋材が開封される。
【００６２】
また、前記キャップ本体（１０）の係止爪（１７）と蓋材（４０）の爪部（４５）の係
止爪（４３）の噛み合いが外れ際に、蓋材が後方に回転して開口させることもできる。その方法として、例えば、蓋材の後方に設けられている取付部とキャップ本体（１０）の蓋材取付部収容凹部に公知のバネ部材やスポンジ部材またはゴム部材等を設けることにより蓋材が後方側へ略９０度回転させることができる。
【００６３】
前記説明は、蓋材が閉じた状態では、キャップ本体（１０）の載置リブ（２１）上に開閉用ボタン部材（５０）のサポートリブ（３３）が載置されている構造である。
【００６４】
前記構造以外、前記載置リブ（２１）を設けずに、キャップ本体凹部（１６）の天面の前方側を、例えば傾斜面、あるいは段差面からなる段部を設けた構造としてもよい。
【００６５】
また、蓋材が閉じた状態においては、サポートリブ（３３）の下端は、凹部（１６）の天面に載置されており、次に、開閉用ボタン部材（５０）を前方に移動させることで前記サポートリブ（３３）は、凹部（１６）の天面との間に隙間が生じ、蓋材の開くことが可能な状態となる。
【産業上の利用可能性】
【００６６】
本発明のキャップは、洋風だし、乾燥食材、焼き菓子等の固形状物、調味料、加工食材等の顆粒状物、洗剤、入浴剤等の紛体物等を収納する容器のワンタッチキャップとして優れていることはもとより、片方の手だけで収納物を取り出さなければならない産業部材用容器や医療関連部材用容器等のキャップにも利用できるなど、広い分野に利用できる。
【図面の簡単な説明】
【００６７】
【図１】本発明のキャップの構成の一実施例の概略を示す斜視図である。
【図２】本発明のキャップのキャップ本体の概略を示す斜視図である。
【図３】キャップのキャップ本体の平面の概略を示す概略図である。
【図４】キャップ本体の断面の概略を示す断面図である。
【図５】本発明のキャップの開閉用ボタン部材が形成されているボタン部材の一実施例の概略を示す斜視図である。
【図６】ボタン部材の前方方向から見た概略を示す概略図である。
【図７】本発明のワンタッチ広口容器用キャップの開閉用ボタン部材が形成されているボタン補助部材の一実施例の概略を示す斜視図である。
【図８】図７のＡ−Ａ線断面の概略図である。
【図９】本発明のキャップの開閉用ボタン部材が形成されているボタン部材にボタン補助部材が遊嵌状態で嵌合されている側面の状態を示す概略図である。
【図１０】本発明のキャップの開閉用ボタン部材が形成されているボタン部材の側面の概略を示す概略図である。
【図１１】本発明のキャップの蓋材の外観の概略を示す斜視図である。
【図１２】図１１に示す蓋材の底面の概略を示す概略図である。
【図１３】本発明のキャップのキャップ本体に蓋材が密封されている状態を説明するための説明図である。
【図１４】本発明のキャップの蓋材を開閉する際の状態を説明するための説明図である。
【図１５】本発明のキャップの蓋材を開閉する際の状態を説明するための説明図である。
【符号の説明】
【００６８】
１０……キャップ本体
１１……天板
１２……蓋材収容環状段差
１３……内壁
１４……取出開口部
１５……周壁
１６……凹部
１７……係止爪
１８……爪部
１９……蓋材取付部収容凹部
２０……回転接合軸
２１……載置部
２２……凹部溝
２３……軸受部
２４……左右両壁
３０……ボタン補助部材
３１……爪部
３２……係止爪
３３……サポートリブ
３４……摺動板
３５……摘み周壁
３６……脚
４０……ボタン部材
４１……爪部
４２……ガイド部
４３……平面部
４４……蓋材持ち上げ部
４５……回転軸
４６……取付板
４７……係止爪
５０……開閉用ボタン部材
６０……蓋材
６１……取付部
６２……挿着壁
６３……係止爪
６４……爪部
６５……凹部
６６……側壁
６７……後壁
７０……広口容器
９０……キャップ
【図１】
2008184202.tif 000003
【図２】
2008184202.tif 000004
【図３】
2008184202.tif 000005
【図４】
2008184202.tif 000006
【図５】
2008184202.tif 000007
【図６】
2008184202.tif 000008
【図７】
2008184202.tif 000009
【図８】
2008184202.tif 000010
【図９】
2008184202.tif 000011
【図１０】
2008184202.tif 000012
【図１１】
2008184202.tif 000013
【図１２】
2008184202.tif 000014
【図１３】
2008184202.tif 000015
【図１４】
2008184202.tif 000016
【図１５】
2008184202.tif 000017